(57)【要約】【課題】  戸先框が窓枠の縦枠に対面するスペースに取付けられていた戸先框引寄金具等が、このスペースを他用されることにより、戸先框引寄金具等の取付スペースが失われてしまう場合に、従来の取付スペースとは別の位置に、従来の戸先框引寄金具と同様な機能を備えた建具用金具を提供すること。【解決手段】  台座１と、この台座１の上面１０に対し回転可能に取付けられた回転体２と、前記回転体２の回転中心Ｃにおいて、前記台座１に前記回転体２を圧着する圧着手段としてのバネ５により構成され、このバネ５の圧着力（付勢力）に抗して前記回転体２を浮き上がらせて、回転させることにより、後述の台座１及び回転体２の各段差部３、４を「カチカチ」と歯合させて、金具全体の高さを調整できるようになっている。【選択図】        図１
2007303119.tif 000002
【特許請求の範囲】
【請求項１】
台座と、
この台座の上面に対し回転可能に取付けられた回転体と、
前記台座上面に対向する前記回転体の対向面に、その回転中心に対し等しい回転角毎に形成される少なくとも２個の段差部と、
前記台座上面に、前記回転角と同一の回転角毎に形成される少なくとも２個の段差部と、
前記台座上面及び回転体対向面に設けられた各段差部に、前記台座上面又は前記回転体対向面から同一の高さで、且つ、相互に当接可能な少なくとも１面の当接面が形成されていることを特徴とする建具用金具。
【請求項２】
前記台座上面と前記回転体は、その回転中心において、前記台座に前記回転体を圧着する圧着手段により取付けられていることを特徴とする請求項１に記載の建具用金具。
【請求項３】
前記回転体及び前記台座上面は、略円盤状に形成されていることを特徴とする請求項１又は２に記載の建具用金具
【請求項４】
前記回転体の外面にはテーパ面が形成されていることを特徴とする請求項１乃至３の何れにかに記載の建具用金具。
【請求項５】
前記台座上面及び回転体対向面に設けられた各段差部の各当接面間に形成される段差は、それぞれ略等しいことを特徴とする請求項１乃至４の何れにかに記載の建具用金具。
【請求項６】
前記各段差部の各最上段の各当接面は、他段の当接面の面積に対して、より広い面積を備えていることを特徴とする請求項５に記載の建具用金具。
【発明の詳細な説明】
【技術分野】
【０００１】
本発明は、建具の立て付け調整等に用いられる建具用金具に関する。
【背景技術】
【０００２】
窓の気密性は、冷暖房効果を左右し、遮音、断熱、防塵効果にも影響を及ばすものである。このため、例えば窓枠の縦枠と戸先框間の気密に関しては、障子が閉められる際に窓の縦枠に戸先框を室内側に寄せるための戸先框引寄金具が障子框に取付けられている場合が多い（非特許文献１）。
また、特許文献１には、室内外方向に延びる突き当て面５６と、縦枠２３に向かうにつれて次第に室内側に向かう斜状面５７と、突き当て面５６と斜状面５７との間に形成された斜面５８とを備えた中間戸当たりピース５５が開示されている。
この間戸当たりピース５５も、戸先側縦框４３に取付けられ、この戸先側縦框４３を室内側に寄せるもので、戸先框引寄金具と同様の機能を発揮する。
【非特許文献１】´９３ビル用綜合カタログ「Ｂｕｉｌｄｉｎｇ」不二サッシ株式会社発行  平成５年５月  ２５２頁
【特許文献１】特開２００４−３０８２４１
【発明の開示】
【発明が解決しようとする課題】
【０００３】
しかし、これらの金具は、戸先框が窓枠の縦枠に対面するスペースに取付けられており、このスペースが他用される場合には戸先框引寄金具等の取付スペースが失われてしまう。
よって、別の取付スペースを見付け出し、このスペースに適合でき、且つ、上記金具と同様な機能を備えた建具用金具を工夫する必要があった。  
【０００４】
そこで、本願発明は、上記課題を解決するためになされたもので、従来の取付スペースとは別の位置に、従来の金具と同様な機能を備えた建具用金具を提供することを目的とする。
【課題を解決するための手段】
【０００５】
上記課題を解決するため、台座と、この台座の上面に対し回転可能に取付けられた回転体と、前記台座上面に対向する前記回転体の対向面に、その回転中心に対し等しい回転角毎に形成される少なくとも２個の段差部と、前記台座上面に、前記回転角と同一の回転角毎に形成される少なくとも２個の段差部と、前記台座上面及び回転体対向面に設けられた各段差部に、前記台座上面又は前記回転体対向面から同一の高さで、且つ、相互に当接可能な少なくとも１面の当接面が形成されていることを特徴とする建具用金具とした（請求項１の発明）。
本発明に係る建具用金具によれば、前記台座上面及び回転体対向面に設けられた各段差部の各当接面が当接することにより、台座と回転体が安定的に重合すると共に、建具用金具の高さは、当接させる各段差部を適宜に選択することにより調整可能である。
よって、例えば上記建具用金具を窓の縦枠に取付けた場合に、戸先框を室内側に寄せるための戸先框引寄金具と同様な作用効果を得ることができる。
【０００６】
上記発明において、前記台座上面と前記回転体は、その回転中心において、前記台座に前記回転体を圧着する圧着手段により取付けられていることとした（請求項２の発明）。
この構成により、当接させる各段差部の各当接面を適宜に選択して、建具用金具の高さを調整する場合に、前記台座から前記回転体を圧着力に抗して引き離し、その回転体を回転させればよく、特別な冶具は不要である。
【０００７】
上記発明において、前記回転体及び前記台座上面は、略円盤状に形成されていることを特徴とする（請求項３の発明）。
この構成により、前記台座上面及び回転体対向面に設けられた各段差部の各当接面が当接した場合に、台座と回転体を安定的に重合させることができる。
【０００８】
上記発明において、前記回転体の外面にはテーパ面が形成されていることとした（請求項４の発明）。
この構成により、前記回転体の外面に対する押圧力を漸次的に押出力に変えることができる。
【０００９】
上記発明において、前記台座上面及び回転体対向面に設けられた各段差部の各当接面間に形成される段差は、それぞれ略等しいことを特徴とする（請求項５の発明）。
この構成により、当接させる各段差部の各当接面を選択し建具用金具の高さを調整する場合に、調整し易い。
【００１０】
前記各段差部の各最上段の各当接面は、他段の当接面の面積に対して、より広い面積を備えていることとした（請求項６の発明）。
この構成により、建具用金具の高さを最大にして調整しても、相互の当接面が大きいので、前記台座と回転体が安定的に重合する。
【発明の効果】
【００１１】
本発明によれば、建具の限られたスペースを有効に利用して、その立て付けの調整を行うことができる、戸先框引寄金具等の金具と同様な機能を備えた建具用金具を提供することができる。
【発明を実施するための最良の形態】
【００１２】
本発明に係る建具用金物の実施形態を図面に基いて説明する。
図１は第１の実施形態に係る建具用金具の正面図、図２は同分解斜視図、図３〜図５は建具用金具を構成する台座の平面図、正面図及び側面図、図６〜図８は建具用金具を構成する回転体の平面図、正面図及び側面図である。
これらの各図において、同一の構成は同一の符号を付して重複した説明を省略する。
【００１３】
「第１の実施形態に係る建具用金具」
この建具用金具は、図１及び図２に示したように、台座１と、この台座１の上面１０に対し回転可能に取付けられた回転体２と、前記回転体２の回転中心Ｃにおいて、前記台座１に前記回転体２を圧着する圧着手段としてのバネ５により構成され、このバネ５の圧着力（付勢力）に抗して前記回転体２を浮き上がらせて、回転させることにより、後述の台座１及び回転体２の各段差部３、４を「カチカチ」と歯合させて、金具全体の高さを調整できるようになっている。
【００１４】
前記台座１は、図３に示したように、台座上面１０と、この台座上面１０と一体的に形成された台座本体１１と、この台座本体１１を建具に取付けるための取付片１２から構成されている。
【００１５】
前記台座上面１０は略円盤状に形成され、図４及び図５にも示されているように、前記回転中心Ｃに対して１２０度の回転角毎に形成される３個の段差部４及び各段差部４間に形成される平面部１３と、前記回転中心Ｃを中心として形成された円筒部１４と、この円筒部１４の直径線上に形成された架橋片１５とから構成されている。
【００１６】
前記各段差部４はそれぞれ階段状に、且つ、同一に構成されており、前記台座上面１０から徐徐に高さを増す５段の段状部４０〜４４が形成されている。
前記段状部４０〜４４はそれぞれ、前記回転中心Ｃを要として、前記円筒部１４の外周面から前記台座上面１０の外周面１６に向って扇状に形成されている。
平面部１３と段状部４０間の段差（高さ）、段状部４０〜４４の各段差（高さ）は、略等しく形成されている。
また各段状部４０〜４４の扇状の平面部分は、前記回転体２の各段差部３の各段状部３０〜３４（後述）に当接可能な当接面となるもので、それぞれの面積は、段状部４０〜４３は略等しく、最上の段状部４４は前記段状部４０〜４３に対してより広い面積を備えている。
【００１７】
前記平面部１３は、前記台座上面１０と同一の高さにあり、前記回転体２の各段差部３の段状部３０〜３４が、入り込むことができる領域となっており、前記段状部４０〜４４と同様に扇状に形成されている。
【００１８】
前記円筒部１４は、前記回転体２の回転軸となるもので、その回転体２を浮き上がらせて回転させても、外れ難いような高さを備え、その外周面に回転体２が回転可能に取付けられている。
【００１９】
前記架橋片１５は、前記バネ５の一端を係止させるものである。
【００２０】
前記回転体２は略円盤状に形成され、図６及び図７に示したように前記台座上面１０に対向する対向面２０と、外面２１と、前記回転中心Ｃを中心とし、且つ、対向面２０と外面２１間を貫通する貫通円孔２２と、この貫通円孔２２の直径線上に形成された回転体架橋片２３とから構成されている。
【００２１】
前記対向面２０には、図６〜図８に示したように、前記回転中心Ｃに対して１２０度の回転角毎に形成される３個の段差部３及び各段差部３間に形成される回転体平面部２４が形成されている。
【００２２】
前記各段差部３及び回転体平面部２４はそれぞれ前記台座上面１０の前記各段差部４及び平面部１３に対応し、略同一に形成されている。
また、前記各段差部３の段状部３０〜３４が前記各段差部４の段状部４０〜４４に対応し、略同一に形成され、各段状部３０〜３４の扇部分は、前記段状部４０〜４４に当接可能な当接面となり、また回転体平面部２４と段状部３０間の段差（高さ）、段状部３０〜３４の各段差（高さ）は、略等しく形成されている。
【００２３】
前記外面２１には、前記貫通円孔２２の外周から前記対向面２０の外周面２６に向って除徐に下降するテーパ状の面２５が形成されている。
【００２４】
前記貫通円孔２２は、その内径面が前記円筒部１４の外周に接して配置されるもので、台座１に対し回転体２が回転可能に取付けられる。
【００２５】
前記回転体架橋片２３は、前記バネ５の他端を係止させるもので、このバネ５により、前記回転体２は前記台座１に圧着されている。
【００２６】
次ぎに、以上のように構成された建具用金具の作用を図９〜図１３に基づいて説明する。
これらの図９〜図１３は、前記台座上面１０と前記回転体対向面２０の各外周面１６、２６に沿って前記各段差部３、４を展開したもので、図９は前記台座上面１０と前記回転体対向面２０を重合させる前の状態を、図１０は重合直前の状態を、図１１は各段差部３の段状部３０〜３３と前記各段差部４の段状部４０〜４３とが重合した状態を、図１２は各段差部３の段状部３２〜３４と前記各段差部４の段状部４２〜４４とが重合した状態を、図１３は各段差部３の段状部３４と前記各段差部４の段状部４４とが重合した状態を、それぞれ示している。
なお、これらの展開図において、前記各段差部３、４が前記回転中心上の点Ｃ１にて点対称に形成されていることが図示されている。
【００２７】
建具用金具の高さを最少なものにするには、図１０の状態から、前記回転体２を回転させて図１１のように各段差部３の段状部３０〜３３と前記各段差部４の段状部４０〜４３とを重合させる。
【００２８】
建具用金具の高さを中間的なものにするには、図１１の状態から、前記回転体２を上方に浮き上がらせ、且つ、前記回転体２を回転させて図１２のように、各段差部３の段状部３２〜３４と前記各段差部４の段状部４２〜４４とを重合させる。
【００２９】
建具用金具の高さを最大なものにするには、図１０乃至図１２の状態から、前記回転体２を上方に浮き上がらせ、且つ、前記回転体２を回転させて図１３のように、各段差部３の段状部３４と前記各段差部４の段状部４４とを重合させる。
【００３０】
上記のように構成された建具用金具の建具に対する取付構造を図１４に基づいて説明する。
図１４に図示した建具は、窓枠Ｗとこれに配置される引違の内外障子６、７であって、窓枠Ｗの縦枠Ｗ１には網戸収納ケース８が、障子框６０、７０には移動桿９が、それぞれ配置されている。そして、前記障子框６０、７０の移動に追随して、前記網戸収納ケース８に収納されている網目部材が開閉幕されるようになっている。
このような建具においては、各障子框６０、７０に戸先框引寄金具を取付けるスペースは乏しい。
そこで、図１４に示したように、前記台座１の取付片１２を介して、前記建具用金具を前記縦枠Ｗ１に固定する。そして前記回転体２の回転操作により、建具用金具の高さを調整する。この調整により、回転体２のテーパ面２５を押圧する障子框６０、７０が室内側に引寄せられる幅を調整することができる。
その結果、障子框６０、７０の室内側面６１、７１が窓枠Ｗの室内側の縦枠Ｗ１に取付けられた気密材６２、７２に密着する強さを増大させることができ、気密状態を向上させることができる。
【００３１】
この建具用金具は、前記窓枠の縦枠の少なくとも上端と下端にそれぞれ１づつ取付ければよい。また窓枠の高さに応じて、取付け位置及びその数を増やせばよい。
【００３２】
以上のように構成された建具用金具では、次のように効果を奏する。
１．前記窓枠Ｗの縦枠Ｗ１の室外側面のスペースを有効に活用して、戸先框引寄金具と同様な機能を発揮する建具用金具を取付けることができる。
特に、窓枠Ｗの縦枠Ｗ１とこれに対向する障子框６０、７０に戸先框引寄金具を取付けるスペースがない場合に有用である。
２．建具用金具の高さ調整は、前記回転体２の回転操作によるので、特別な冶具は不要であり、狭いところでも高さ調整が容易である。
３．前記回転体２及び台座上面の最上の段状部は、他の各段状部に対してより広い面積の当接面を備えており、障子框の押圧力に対する耐性を備えている。
４．最上の段状部は対向する段状部に必ず接しているので、中間高さの調整時に、対向する段状部の面積を全て利用でき、安定した歯合が可能である。
【００３３】
「第２の実施形態に係る建具用金具」
図１５Ａは第２の実施形態に係る建具用金具の台座の正面図、同図Ｂは同側面図、図１６は同回転体の正面である。
この台座１Ａには、台座上面１０Ａに、回転中心Ｃに対して１２０度の回転角毎に形成される３個の段差部４Ａ及び各段差部４Ａ間に形成される平面部１３Ａが設けられている。
前記各段差部４Ａはそれぞれ１段に、また平面部１３Ａと各段差部４Ａの各段差（高さ）は略等しく形成されている。即ち、前記各段差部４Ａには、台座上面１０Ａから同一の高さで、且つ、後述の回転体２Ａの各段差部３Ａに当接可能な少なくとも１面の当接面が三箇所で形成されるようになっている。その他の構成は、前記台座１と略同一に形成されている。
一方、回転体２Ａは各段差部３Ａが、その段状部３０ａ〜３４ａの高低方向が逆方向である点を除いて、前記回転体２と略同一に形成されている。
この第２の実施形態に係る建具用金具は上記実施形態と同様な作用効果を奏すると共に、高さの高低間の調整幅が小さい場合に有用である。
【００３４】
「第３の実施形態に係る建具用金具」
図１７は第３の実施形態に係る建具用金具の台座の正面図、図１８は同回転体の正面である。
この台座１Ｂは、台座上面１０Ｂに、回転中心Ｃに対して１２０度の回転角毎に形成される３個の段差部４Ｂ及び各段差部４Ｂ間に形成される平面部１３Ｂが設けられている。
前記各段差部４Ｂはそれぞれ２段に形成され、各当接面の面積は略等しく形成されている。その他の構成は、前記台座１と略同一に形成されている。
一方、回転体２Ｂは各段差部３Ｂが、前記各段差部４Ｂと略同一に形成されて、その他の構成は、前記回転体２と略同一に形成されている。
この第３の実施形態に係る建具用金具は上記実施形態と同様な作用効果を奏すると共に、各当接面が略等しく形成されているので、より安定的な重合が可能である。
【００３５】
前記建具用金具の回転体及び台座上面は円形であったが、これに限定されるものではなく、多角形でもよい。
前記段差部の数は、回転体及び台座上面にそれぞれ３個であったが、少なくとも２個以上であればその数に限定されない。
また、各段差部の形状は、段差が略直角なものに限定されるものではなく、鈍角状のもの、鋭角状のもの、ラウンド状のものでもよい。
また、各段差部の各段差間の高さ幅も等しいものに限定されるものではなく、初段、中段、高段の順にその段差の高さを小さいものにしてもよいし、その逆でもよい。
また、前記各実施形態では、前記台座１に前記回転体２をバネ５により圧着していたが、ネジでもよい。
また、第２の実施形態に係る建具用金具では、台座１Ａの台座上面１０Ａに、１段の各段差部４Ａが形成され、一方、回転体２Ａに複数段の各段差部３Ａが形成されていたが、これとは逆に台座上面１０Ａに複数段の各段差部を形成し、一方、回転体２Ａに１段の各段差部を形成するようにしてもよい。このような構成では、回転体２Ａの各段差部には、回転体対向面から同一の高さで、且つ、台座上面１０Ａの各段差部に当接可能な少なくとも１面の当接面が三箇所で形成されることになる。
【図面の簡単な説明】
【００３６】
【図１】第１の実施形態に係る建具用金具の正面図、
【図２】同分解斜視図、
【図３】建具用金具を構成する台座の平面図、
【図４】同正面図、
【図５】同側面図、
【図６】建具用金具を構成する回転体の平面図、
【図７】同正面図、
【図８】同側面図、
【図９】台座上面と前記回転体対向面を重合させる前の状態の説明図、
【図１０】重合直前の状態説明図、
【図１１】各段差部の段状部と各段差部の段状部とが重合した状態の説明図、
【図１２】同説明図、
【図１３】同説明図、
【図１４】建具用金具の取付構造図、
【図１５】Ａ  第２の実施形態に係る台座の正面図、Ｂ  同側面図、
【図１６】同回転体の平面図、
【図１７】Ａ  第３の実施形態に係る台座の正面図、Ｂ  同側面図、
【図１８】Ａ  同回転体の平面図、Ｂ  同側面図。
【符号の説明】
【００３７】
１  １Ａ  １Ｂ  台座                    １０  １０Ａ  １０Ｂ  台座上面
２  回転体                              ３  ４  ３Ａ  ４Ａ  ４Ｂ  段差部
５  バネ                                ６  ７  内外障子
８  網戸収納ケース                      ９  移動桿
１１  台座本体                          １２  取付片
１３  １３Ａ  １３Ｂ  平面部            １４  円筒部
１５  架橋片                            １６  外周面
２０  対向面                            ２１  外面
２２  貫通円孔                          ２３  回転体架橋片
２４  回転体平面部                      ２５  テーパ面
２６  外周面
３０〜３４  ３０ａ〜３４ａ  段状部
４０〜４４  段状部
６０  ７０  障子框                      ６１  ７１  室内側面
６２  ７２  気密材
Ｗ  窓枠                                Ｗ１  縦枠
Ｃ  回転中心                            Ｃ１  回転中心上の点
【図１】
2007303119.tif 000003
【図２】
2007303119.tif 000004
【図３】
2007303119.tif 000005
【図４】
2007303119.tif 000006
【図５】
2007303119.tif 000007
【図６】
2007303119.tif 000008
【図７】
2007303119.tif 000009
【図８】
2007303119.tif 000010
【図９】
2007303119.tif 000011
【図１０】
2007303119.tif 000012
【図１１】
2007303119.tif 000013
【図１２】
2007303119.tif 000014
【図１３】
2007303119.tif 000015
【図１４】
2007303119.tif 000016
【図１５】
2007303119.tif 000017
【図１６】
2007303119.tif 000018
【図１７】
2007303119.tif 000019
【図１８】
2007303119.tif 000020